(57)【要約】【課題】制御基板に対する冷却性及び電磁シールド性を確保することができる電動ポンプを提供することを目的とする。【解決手段】電動ポンプ１０は、液体が流入するポンプ室３６と連通するロータ収容室２８の周壁部３０が形成されたハウジング１２と、ロータ収容室２８の底壁部３１が形成された金属製のベース部材１４と、ステータ１８を制御する制御基板２０と、強磁性体により形成されたシールドカバー２２とを備えている。制御基板２０は、底壁部３１にロータ収容室２８と反対側から重ね合わされている。また、シールドカバー２２は、制御基板２０を包囲する包囲部７２と、制御基板２０に対する底壁部３１と反対側から制御基板２０を覆う被覆部７４とを有している。【選択図】図１
2014092084.tif 000002
【特許請求の範囲】
【請求項１】
液体が流入するポンプ室と連通するロータ収容室の周壁部が形成されたハウジングと、
前記ロータ収容室の底壁部が形成された金属製のベース部材と、
前記ロータ収容室に回転可能に収容されたロータと、
前記ロータに回転磁界を形成するステータと、
前記底壁部に前記ロータ収容室と反対側から重ね合わされ、前記ステータを制御する制御基板と、
前記制御基板を包囲する包囲部と、前記制御基板に対する前記底壁部と反対側から前記制御基板を覆う被覆部とを有し、強磁性体により形成されたシールドカバーと、
を備えた電動ポンプ。
【請求項２】
前記ステータは、前記周壁部の周囲に設けられ、
前記ステータと前記包囲部との間に設けられて前記ステータを保持する保持部を有し、前記シールドカバーと共に前記制御基板を収容する基板収容室を形成すると共に、強磁性体により形成されたステータホルダを備えた、
請求項１に記載の電動ポンプ。
【請求項３】
前記ステータホルダは、前記周壁部が挿通された開口部を有し、
前記ロータは、前記開口部と対向し強磁性体により形成されたヨークを有する、
請求項２に記載の電動ポンプ。
【請求項４】
前記シールドカバーは、前記電動ポンプの外形部を形成し、
前記シールドカバーと前記ステータホルダ、及び、前記ステータホルダと前記ベース部材とは、それぞれ接続部を有している、
請求項２又は請求項３に記載の電動ポンプ。
【請求項５】
前記シールドカバーと前記ステータホルダとの接続部は、前記シールドカバーの周縁部に形成された第一フランジと、前記ステータホルダの周縁部に形成され前記第一フランジと結合された第二フランジとを有している、
請求項４に記載の電動ポンプ。
【請求項６】
前記ベース部材は、前記ステータと前記包囲部との間に設けられて前記ステータを保持する保持部を有している、
請求項１に記載の電動ポンプ。
【請求項７】
前記シールドカバーは、前記電動ポンプの外形部を形成し、
前記シールドカバーと前記ベース部材とは、接続部を有している、
請求項６に記載の電動ポンプ。
【請求項８】
前記接続部は、前記シールドカバーの周縁部に形成された第一フランジと、前記ベース部材の周縁部に形成され前記第一フランジと結合された第二フランジとを有する、
請求項７に記載の電動ポンプ。
【請求項９】
前記保持部には、前記包囲部に向けて延びる延長フランジが形成され、
前記制御基板には、前記延長フランジと同じ側に延びる延長部が形成され、
前記保持部の側方で前記延長フランジと前記延長部との間に形成された空間部には、電気部品が配置されている、
請求項２〜請求項８のいずれか一項に記載の電動ポンプ。
【請求項１０】
前記底壁部には、前記ロータ収容室側に突出して前記周壁部と接続されるか、又は、前記ロータ収容室の内部に突出する突出部が形成され、
前記制御基板における前記突出部と対応する位置には、発熱部品が設けられている、
請求項１〜請求項９のいずれか一項に記載の電動ポンプ。
【発明の詳細な説明】
【技術分野】
【０００１】
本発明は、電動ポンプに関する。
【背景技術】
【０００２】
従来、液体が流入するポンプ室と連通するロータ収容室と、このロータ収容室に回転可能に収容されたロータと、ロータに回転磁界を形成するステータと、ステータを制御する制御基板とを備えた電動ポンプが知られている（例えば、特許文献１参照）。
【先行技術文献】
【特許文献】
【０００３】
【特許文献１】特開２００４−３６０６１４号公報
【発明の概要】
【発明が解決しようとする課題】
【０００４】
このような電動ポンプでは、制御基板に対する冷却性及び電磁シールド性が要求される。
【０００５】
そこで、本発明は、制御基板に対する冷却性及び電磁シールド性を確保することができる電動ポンプを提供することを目的とする。
【課題を解決するための手段】
【０００６】
前記課題を解決するために、請求項１に記載の電動ポンプは、液体が流入するポンプ室と連通するロータ収容室の周壁部が形成されたハウジングと、前記ロータ収容室の底壁部が形成された金属製のベース部材と、前記ロータ収容室に回転可能に収容されたロータと、前記ロータに回転磁界を形成するステータと、前記底壁部に前記ロータ収容室と反対側から重ね合わされ、前記ステータを制御する制御基板と、前記制御基板を包囲する包囲部と、前記制御基板に対する前記底壁部と反対側から前記制御基板を覆う被覆部とを有し、強磁性体により形成されたシールドカバーと、を備えている。
【０００７】
この電動ポンプによれば、金属製のベース部材には、ロータ収容室の底壁部が形成されており、この底壁部には、ロータ収容室と反対側から制御基板が重ね合わされている。従って、ロータ収容室に流入する液体により制御基板の熱を底壁部を介して吸収することができるので、制御基板を冷却（水冷）することができる。これにより、制御基板に対する冷却性を確保することができる。
【０００８】
しかも、この電動ポンプは、強磁性体により形成されたシールドカバーを有しており、制御基板は、このシールドカバーの包囲部によって包囲されると共に、このシールドカバーの被覆部によって底壁部と反対側から覆われている。従って、この強磁性体により形成されたシールドカバーにより制御基板が遮蔽されるので、制御基板に対する電磁シールド性も確保することができる。
【０００９】
請求項２に記載の電動ポンプは、請求項１に記載の電動ポンプにおいて、前記ステータが、前記周壁部の周囲に設けられ、前記ステータと前記包囲部との間に設けられて前記ステータを保持する保持部を有し、前記シールドカバーと共に前記制御基板を収容する基板収容室を形成すると共に、強磁性体により形成されたステータホルダを備えている。
【００１０】
この電動ポンプによれば、強磁性体により形成されたステータホルダが備えられており、このステータホルダは、シールドカバーと共に制御基板を収容する基板収容室を形成している。従って、この強磁性体により形成されたステータホルダにより制御基板を遮蔽する領域が拡大されるので、制御基板に対する電磁シールド性を向上させることができる。
【００１１】
しかも、ステータを保持する保持部を有するステータホルダで基板収容室を形成しているので（ステータを保持する部材と基板収容室を形成する部材を兼用しているので）、部材点数の増加を抑制することができる。これにより、コストを低減することができる。
【００１２】
請求項３に記載の電動ポンプは、請求項２に記載の電動ポンプにおいて、前記ステータホルダが、前記周壁部が挿通された開口部を有し、前記ロータが、前記開口部と対向し強磁性体により形成されたヨークを有する構成とされている。
【００１３】
この電動ポンプによれば、ステータホルダは、周壁部が挿通された開口部を有しているが、ロータのヨークは、強磁性体により形成されると共に、この開口部と対向している。従って、このヨークにより開口部の遮蔽性を高めることができるので、制御基板に対する電磁シールド性をより向上させることができる。
【００１４】
請求項４に記載の電動ポンプは、請求項２又は請求項３に記載の電動ポンプにおいて、前記シールドカバーが、前記電動ポンプの外形部を形成し、前記シールドカバーと前記ステータホルダ、及び、前記ステータホルダと前記ベース部材とが、それぞれ接続部を有する構成とされている。
【００１５】
この電動ポンプによれば、シールドカバーは、電動ポンプの外形部を形成している。従って、シールドカバーが外気に晒されて冷却されることにより、このシールドカバーに覆われた制御基板を冷却（空冷）することができる。
【００１６】
しかも、シールドカバーとステータホルダ、及び、ステータホルダとベース部材とは、それぞれ接続部を有している。従って、シールドカバーが外気に晒されて冷却されることにより、各接続部を介してベース部材を冷却することができる。これにより、このベース部材に形成された底壁部と重ね合わされた制御基板を冷却（空冷）することができるので、制御基板に対する冷却性を向上させることができる。
【００１７】
請求項５に記載の電動ポンプは、請求項４に記載の電動ポンプにおいて、前記シールドカバーと前記ステータホルダとの接続部が、前記シールドカバーの周縁部に形成された第一フランジと、前記ステータホルダの周縁部に形成され前記第一フランジと結合された第二フランジとを有する構成とされている。
【００１８】
この電動ポンプによれば、シールドカバーとステータホルダとの接続部は、シールドカバーの周縁部に形成された第一フランジと、ステータホルダの周縁部に形成され第一フランジと結合された第二フランジとを有している。従って、フランジを用いた接続部とすることにより、シールドカバーとステータホルダとの接続面積を確保することができるので、シールドカバーとステータホルダとの間の熱伝達性を高めることができる。これにより、ベース部材に形成された底壁部をより冷却することができるので、この底壁部と重ね合わされた制御基板に対する冷却性をより向上させることができる。
【００１９】
請求項６に記載の電動ポンプは、請求項１に記載の電動ポンプにおいて、前記ベース部材が、前記ステータと前記包囲部との間に設けられて前記ステータを保持する保持部を有する構成とされている。
【００２０】
この電動ポンプによれば、ベース部材は、ロータ収容室の底壁部に加えて、ステータを保持する保持部を有している（ロータ収容室の底壁部を形成する部材とステータを保持する部材を兼用している）。従って、部材点数の増加を抑制することができるので、コストを低減することができる。
【００２１】
請求項７に記載の電動ポンプは、請求項６に記載の電動ポンプにおいて、前記シールドカバーが、前記電動ポンプの外形部を形成し、前記シールドカバーと前記ベース部材とが、接続部を有する構成とされている。
【００２２】
この電動ポンプによれば、シールドカバーは、電動ポンプの外形部を形成している。従って、シールドカバーが外気に晒されて冷却されることにより、このシールドカバーに覆われた制御基板を冷却（空冷）することができる。
【００２３】
しかも、シールドカバーとベース部材とは、接続部を有している。従って、シールドカバーが外気に晒されて冷却されることにより、接続部を介してベース部材を冷却することができる。これにより、このベース部材に形成された底壁部と重ね合わされた制御基板を冷却（空冷）することができるので、制御基板に対する冷却性を向上させることができる。
【００２４】
請求項８に記載の電動ポンプは、請求項７に記載の電動ポンプにおいて、前記接続部が、前記シールドカバーの周縁部に形成された第一フランジと、前記ベース部材の周縁部に形成され前記第一フランジと結合された第二フランジとを有する構成とされている。
【００２５】
この電動ポンプによれば、シールドカバーとベース部材との接続部は、シールドカバーの周縁部に形成された第一フランジと、ベース部材の周縁部に形成され第一フランジと結合された第二フランジとを有している。従って、フランジを用いた接続部とすることにより、シールドカバーとベース部材との接続面積を確保することができるので、シールドカバーとベース部材との間の熱伝達性を高めることができる。これにより、ベース部材に形成された底壁部をより冷却することができるので、この底壁部と重ね合わされた制御基板に対する冷却性をより向上させることができる。
【００２６】
請求項９に記載の電動ポンプは、請求項２〜請求項８のいずれか一項に記載の電動ポンプにおいて、前記保持部に、前記包囲部に向けて延びる延長フランジが形成され、前記制御基板に、前記延長フランジと同じ側に延びる延長部が形成され、前記保持部の側方で前記延長フランジと前記延長部との間に形成された空間部に、電気部品が配置された構成とされている。
【００２７】
この電動ポンプによれば、保持部の側方で延長フランジと延長部との間には、空間部が形成されており、この空間部には、電気部品が配置されている。従って、この空間部が電気部品の配置のために利用されているので、電動ポンプを小型化することができる。
【００２８】
請求項１０に記載の電動ポンプは、請求項１〜請求項９のいずれか一項に記載の電動ポンプにおいて、前記底壁部に、前記ロータ収容室側に突出して前記周壁部と接続されるか、又は、前記ロータ収容室の内部に突出する突出部が形成され、前記制御基板における前記突出部と対応する位置に、発熱部品が設けられた構成とされている。
【００２９】
この電動ポンプによれば、底壁部には、ロータ収容室側に突出して周壁部と接続されるか、又は、ロータ収容室の内部に突出する突出部が形成されている。従って、この突出部によりロータ収容室内の液体と底壁部との接触面積を拡大することができるので、底壁部をより冷却することができる。
【００３０】
しかも、制御基板の発熱部品は、この制御基板における突出部と対応する位置に設けられている。従って、突出部を通じて発熱部品の熱を効率良く吸収することができる。これにより、発熱部品に対する冷却性を向上させることができる。
【図面の簡単な説明】
【００３１】
【図１】本発明の第一実施形態に係る電動ポンプの縦断面図である。
【図２】図１に示される電動ポンプの分解斜視図である。
【図３】図１に示される電動ポンプの変形例を示す要部拡大縦断面図である。
【図４】本発明の第二実施形態に係る電動ポンプの縦断面図である。
【図５】図４に示される電動ポンプの分解斜視図である。
【発明を実施するための形態】
【００３２】
［第一実施形態］
はじめに、本発明の第一実施形態について説明する。
【００３３】
図１に示されるように、本発明の第一実施形態に係る電動ポンプ１０は、ハウジング１２と、ベース部材１４と、ロータ１６と、ステータ１８と、制御基板２０と、シールドカバー２２と、ステータホルダ２４とを備えている（図２も適宜参照）。
【００３４】
ハウジング１２は、樹脂製とされている。このハウジング１２は、板状のハウジング本体２６と、ロータ１６を収容するロータ収容室２８の周壁部３０とを一体に有している。ハウジング本体２６の一端部には、コネクタ３２が設けられており、ロータ収容室２８の周壁部３０は、ハウジング本体２６の中央部よりも他端部寄りの位置に形成されている。この周壁部３０は、円筒状に形成されており、ハウジング本体２６の板厚方向一方側（矢印Ｚ１側）に突出されている。また、この周壁部３０の先端部３０Ａは、この先端部３０Ａよりも後端側の部分に比して縮径されている。
【００３５】
ロータ収容室２８は、開口２８Ａを有しており、この開口２８Ａは、ハウジング本体２６の板厚方向他方側（矢印Ｚ２側）に開口されている。この電動ポンプ１０は、例えばエンジン冷却水を循環させるウォータポンプとして好適に用いられるものであり、ロータ収容室２８は、ハウジング１２が取付対象物３４（例えば、自動車のエンジンブロックなど）に取り付けられた場合に、この取付対象物３４に形成されたポンプ室３６と連通される。
【００３６】
ベース部材１４は、伝熱性が高く導電性を有する金属の一例として、例えば、アルミニウム合金製とされている。このベース部材１４には、ロータ収容室２８の底壁部３１が形成されており、この底壁部３１には、接合部３８及びシャフト支持部４０が形成されている。この接合部３８及びシャフト支持部４０は、それぞれ円筒状に形成されている。
【００３７】
接合部３８は、シャフト支持部４０の径方向外側に形成されると共に、周壁部３０の先端部３０Ａと同軸上に形成されている。この接合部３８は、ロータ収容室２８側に突出しており、周壁部３０の先端部３０Ａにおける外周部と接合されている。この接合部３８の内周部と周壁部３０の先端部３０Ａにおける外周部との間には、例えばＯリング等のシール材４２が設けられている。
【００３８】
シャフト支持部４０は、周壁部３０の径方向内側に形成されており、ロータ収容室２８の内部に突出されている。このシャフト支持部４０の内側には、ロータ収容室２８の軸方向に延びるシャフト４４の一端が圧入されており、これにより、シャフト４４は、シャフト支持部４０に支持されている。なお、この接合部３８及びシャフト支持部４０は、本発明における突出部の一例である。
【００３９】
ロータ１６は、ロータ収容室２８に回転可能に収容されている。このロータ１６は、軸受４６を介してシャフト４４に回転可能に支持されている。このロータ１６は、インペラ部材４８と、ヨーク５０と、マグネット５２とを有している。
【００４０】
インペラ部材４８は、円筒状の軸部５４を有しており、この軸部５４は、軸受４６の外周部に固定されている。また、このインペラ部材４８には、ロータ収容室２８の開口２８Ａを通じてハウジング本体２６の板厚方向他方側（矢印Ｚ２側）に突出するインペラ５６が形成されている。このインペラ５６は、上述のポンプ室３６に収容される。そして、このポンプ室３６内でインペラ５６が回転すると、ポンプ室３６に液体が流入されると共に、このポンプ室３６から液体が吐出される。なお、ロータ収容室２８は、ポンプ室３６と連通されるので、ポンプ室３６に液体が流入すると、ロータ収容室２８は、液体で充満される。
【００４１】
ヨーク５０は、円環状に形成されており、軸部５４の外周部に固定されている。このヨーク５０は、軟鉄等の強磁性体により形成されている。マグネット５２は、ヨーク５０の外周部に沿う円環状又は円弧状に形成されており、ヨーク５０の外周部に固定されている。
【００４２】
ステータ１８は、周壁部３０の周囲に設けられており、この周壁部３０を介してロータ１６と径方向に対向されている。このステータ１８は、環状のステータコア５８と、このステータコア５８に装着されたインシュレータ６０と、このインシュレータ６０を介してステータコア５８に巻装された巻線６２とを有している。そして、この電動ポンプ１０では、ステータ１８によって回転磁界が形成されると、ロータ１６に対して吸引及び反発力が働き、ロータ１６が回転される。
【００４３】
制御基板２０は、プリント基板等の基板本体６４と、複数の実装部品６６とを有している。基板本体６４は、底壁部３１にロータ収容室２８と反対側から重ね合わされている。なお、基板本体６４は、底壁部３１との間に例えば伝熱シートや伝熱ゲル等の介在物を介して底壁部３１に重ね合わされていても良い。複数の実装部品６６は、基板本体６４における底壁部３１側と反対側の面に実装されている。
【００４４】
この複数の実装部品６６には、複数の発熱部品６８，７０が含まれている。この複数の発熱部品６８，７０は、例えば、ステータ１８を制御するための制御素子等とされている。この複数の発熱部品６８，７０のうち発熱部品６８は、制御基板２０における接合部３８と対応する位置に設けられており、発熱部品７０は、制御基板２０におけるシャフト支持部４０と対応する位置に設けられている。つまり、発熱部品６８は、その少なくとも一部が制御基板２０の平面視にて接合部３８の少なくとも一部と重なるように配置されており、発熱部品７０は、その少なくとも一部が制御基板２０の平面視にてシャフト支持部４０の少なくとも一部と重なるように配置されている。
【００４５】
シールドカバー２２は、例えば鉄等の強磁性体により形成されている。このシールドカバー２２は、上述の制御基板２０及びベース部材１４と後述するステータホルダ２４の保持部７６とを包囲する包囲部７２と、制御基板２０に対する底壁部３１と反対側から制御基板２０を覆う被覆部７４とを有している。このシールドカバー２２は、電動ポンプ１０の外形部（つまり、電動ポンプ１０の最も外側の部分であって外気に晒される部分）を形成している。
【００４６】
ステータホルダ２４は、例えば鉄等の強磁性体により形成されている。このステータホルダ２４は、円筒状の保持部７６を有している。この保持部７６は、ステータ１８と包囲部７２との間に設けられている。この保持部７６の内周部には、ステータコア５８の外周部（ティースの先端部）が圧入されており、これにより、ステータ１８は、保持部７６によって保持されている。
【００４７】
また、この保持部７６におけるハウジング本体２６側の端部には、この板状のハウジング本体２６に沿って包囲部７２に向けて延びる延長フランジ７８が形成されている。さらに、上述のシールドカバー２２の周縁部には、第一フランジ８０が形成されており、ステータホルダ２４の周縁部には、第二フランジ８２が形成されている。この第一フランジ８０及び第二フランジ８２は、締結具等により互いに結合されている。なお、この第一フランジ８０及び第二フランジ８２は、シールドカバー２２とステータホルダ２４との接続部の一例である。
【００４８】
そして、このようにしてシールドカバー２２及びステータホルダ２４が互いに固定されることにより、このシールドカバー２２及びステータホルダ２４によって基板収容室８４が形成されている。この基板収容室８４には、上述の制御基板２０が収容されている。
【００４９】
また、この制御基板２０の基板本体６４には、上述の延長フランジ７８と同じ側に延びる延長部８６が形成されている。そして、保持部７６の側方で延長フランジ７８と延長部８６との間に形成された空間部８８には、実装部品６６よりも大型の電気部品９０が配置されている。この電気部品９０は、例えば雑防素子とされており、基板本体６４における底壁部３１側の面に実装されている。なお、ベース部材１４には、底壁部３１から延長部８６と同じ側に延びる支持部９２が形成されており、延長部８６は、支持部９２に重ね合わされている。
【００５０】
また、ステータホルダ２４の保持部７６における底壁部３１側の端部には、ロータ収容室２８の軸方向に開口する開口部９４が形成されており、この開口部９４には、上述の周壁部３０が挿通されている。さらに、上述のロータ１６のヨーク５０は、開口部９４と対向するように配置されている。また、この開口部９４の周縁部９４Ａは、保持部７６における底壁部３１側の端部から保持部７６の径方向内側に向けて延びており、この開口部９４の周縁部９４Ａには、ベース部材１４に形成されたボスや周縁部等の突起部９６が接続（当接）されている。この開口部９４の周縁部９４Ａ及び突起部９６は、ステータホルダ２４とベース部材１４との接続部の一例である。
【００５１】
次に、本発明の第一実施形態の作用及び効果について説明する。
【００５２】
本発明の第一実施形態に係る電動ポンプ１０によれば、金属製のベース部材１４には、ロータ収容室２８の底壁部３１が形成されており、この底壁部３１には、ロータ収容室２８と反対側から制御基板２０が重ね合わされている。従って、ロータ収容室２８に流入する液体により制御基板２０の熱を底壁部３１を介して吸収することができるので、制御基板２０を冷却（水冷）することができる。これにより、制御基板２０に対する冷却性を確保することができる。
【００５３】
しかも、この電動ポンプ１０は、強磁性体により形成されたシールドカバー２２を有しており、制御基板２０は、このシールドカバー２２の包囲部７２によって包囲されると共に、このシールドカバー２２の被覆部７４によって底壁部３１と反対側から覆われている。従って、この強磁性体により形成されたシールドカバー２２により制御基板２０が遮蔽されるので、制御基板２０に対する電磁シールド性も確保することができる。
【００５４】
また、この電動ポンプ１０には、強磁性体により形成されたステータホルダ２４が備えられており、このステータホルダ２４は、シールドカバー２２と共に制御基板２０を収容する基板収容室８４を形成している。従って、この強磁性体により形成されたステータホルダ２４により制御基板２０を遮蔽する領域が拡大されるので、制御基板２０に対する電磁シールド性を向上させることができる。
【００５５】
しかも、ステータ１８を保持する保持部７６を有するステータホルダ２４で基板収容室８４を形成しているので（ステータ１８を保持する部材と基板収容室８４を形成する部材を兼用しているので）、部材点数の増加を抑制することができる。これにより、コストを低減することができる。
【００５６】
また、ステータホルダ２４は、周壁部３０が挿通された開口部９４を有しているが、ロータ１６のヨーク５０は、強磁性体により形成されると共に、この開口部９４と対向している。従って、このヨーク５０により開口部９４の遮蔽性を高めることができるので、制御基板２０に対する電磁シールド性をより向上させることができる。
【００５７】
また、シールドカバー２２は、電動ポンプ１０の外形部を形成している。従って、シールドカバー２２が外気に晒されて冷却されることにより、このシールドカバー２２に覆われた制御基板２０を冷却（空冷）することができる。
【００５８】
しかも、シールドカバー２２とステータホルダ２４、及び、ステータホルダ２４とベース部材１４とは、それぞれ互いに接続されている。従って、シールドカバー２２が外気に晒されて冷却されることにより、各接続部を介してベース部材１４を冷却することができる。これにより、このベース部材１４に形成された底壁部３１と重ね合わされた制御基板２０を冷却（空冷）することができるので、制御基板２０に対する冷却性を向上させることができる。
【００５９】
特に、シールドカバー２２とステータホルダ２４との接続部は、シールドカバー２２の周縁部に形成された第一フランジ８０と、ステータホルダ２４の周縁部に形成され第一フランジ８０と結合された第二フランジ８２とされている。従って、フランジを用いた接続部とすることにより、シールドカバー２２とステータホルダ２４との接続面積を確保することができるので、シールドカバー２２とステータホルダ２４との間の熱伝達性を高めることができる。これにより、ベース部材１４に形成された底壁部３１をより冷却することができるので、この底壁部３１と重ね合わされた制御基板２０に対する冷却性をより向上させることができる。
【００６０】
また、保持部７６の側方で延長フランジ７８と延長部８６との間には、空間部８８が形成されており、この空間部８８には、大型の電気部品９０が配置されている。従って、この空間部８８が電気部品９０の配置のために利用されているので、電動ポンプ１０を小型化することができる。
【００６１】
また、底壁部３１には、ロータ収容室２８側に突出して周壁部３０と接続された接合部３８と、ロータ収容室２８の内部に突出するシャフト支持部４０が形成されている。従って、この接合部３８及びシャフト支持部４０によりロータ収容室２８内の液体と底壁部３１との接触面積を拡大することができるので、底壁部３１をより冷却することができる。
【００６２】
しかも、制御基板２０の発熱部品６８，７０は、この制御基板２０における接合部３８及びシャフト支持部４０とそれぞれ対応する位置に設けられている。従って、接合部３８及びシャフト支持部４０を通じて発熱部品６８，７０の熱を効率良く吸収することができる。これにより、発熱部品６８，７０に対する冷却性を向上させることができる。
【００６３】
次に、本発明の第一実施形態の変形例について説明する。
【００６４】
本発明の第一実施形態において、ポンプ室３６は、電動ポンプ１０の取付対象物３４に形成されていたが、電動ポンプ１０に形成されていても良い（電動ポンプ１０がポンプ室３６を有していても良い）。
【００６５】
また、底壁部３１には、制御基板２０のうちの基板本体６４が重ね合わされていた。しかしながら、図３に示されるように、基板本体６４における底壁部３１側の面に実装部品６６が実装され、この実装部品６６が底壁部３１にロータ収容室２８と反対側から重ね合わされていても良い。また、この場合に、実装部品６６は、底壁部３１との間に例えば伝熱シートや伝熱ゲル等の介在物を介して底壁部３１に重ね合わされていても良く、また、発熱部品６８，７０は、制御基板２０における接合部３８及びシャフト支持部４０とそれぞれ対応する位置に設けられていても良い。
【００６６】
また、接合部３８は、ロータ収容室２８側に突出されていたが、底壁部３１に凹状に形成されていても良い。同様に、シャフト４４部材も底壁部３１に凹状に形成されていても良い。
【００６７】
また、シールドカバー２２とステータホルダ２４との接続部は、シールドカバー２２の周縁部に形成された第一フランジ８０と、ステータホルダ２４の周縁部に形成された第二フランジ８２とされていたが、その他の接続部分を有していても良い。
【００６８】
また、ステータホルダ２４とベース部材１４との接続部は、保持部７６に形成された開口部９４の周縁部９４Ａと、ベース部材１４に形成された突起部９６とされていたが、その他の接続部分を有していても良い。
【００６９】
なお、上記複数の変形例は、適宜、組み合わされて実施可能である。
【００７０】
［第二実施形態］
次に、本発明の第二実施形態について説明する。
【００７１】
図４，図５に示される本発明の第二実施形態に係る電動ポンプ１１０は、上述の本発明の第一実施形態に係る電動ポンプ１０（図１〜図３参照）に対し、次のように構成が変更されている。
【００７２】
つまり、本発明の第二実施形態に係る電動ポンプ１１０において、ステータホルダ２４は、円筒状に形成されている。このステータホルダ２４の内周部には、ステータコア５８の外周部（ティースの先端部）が圧入されている。
【００７３】
また、ベース部材１４は、円筒状の保持部１７６を有している。この保持部１７６は、ステータ１８と包囲部７２との間（より具体的には、ステータホルダ２４と包囲部７２との間）に設けられている。この保持部１７６の内側には、ステータホルダ２４と共にステータ１８が収容されており、ステータ１８は、このステータホルダ２４と共に保持部１７６によって保持されている。
【００７４】
この保持部１７６におけるハウジング本体２６側の端部には、この板状のハウジング本体２６に沿って包囲部７２に向けて延びる延長フランジ１７８が形成されている。さらに、ベース部材１４の周縁部には、シールドカバー２２の周縁部に形成された第一フランジ８０と対応する位置に第二フランジ１８２が形成されている。この第一フランジ８０及び第二フランジ１８２は、締結具等により互いに結合されている。なお、この第一フランジ８０及び第二フランジ１８２は、シールドカバー２２とベース部材１４との接続部の一例である。
【００７５】
そして、このようにしてシールドカバー２２及びベース部材１４が互いに固定されることにより、このシールドカバー２２及びベース部材１４によって基板収容室１８４が形成されている。この基板収容室１８４には、上述の制御基板２０が収容されている。
【００７６】
また、基板本体６４に形成された延長部８６は、延長フランジ１７８と同じ側に延びると共に、ベース部材１４の底壁部３１に対して包囲部７２側に突出されている。そして、保持部１７６の側方には、延長フランジ１７８と延長部８６との間に空間部１８８が形成されており、この空間部１８８には、上述の大型の電気部品９０が配置されている。
【００７７】
なお、本発明の第二実施形態において、上記以外の構成は、上述の本発明の第一実施形態と同様である。
【００７８】
次に、本発明の第二実施形態の作用及び効果について説明する。
【００７９】
本発明の第二実施形態に係る電動ポンプ１１０によっても、金属製のベース部材１４には、ロータ収容室２８の底壁部３１が形成されており、この底壁部３１には、ロータ収容室２８と反対側から制御基板２０が重ね合わされている。従って、ロータ収容室２８に流入する液体により制御基板２０の熱を底壁部３１を介して吸収することができるので、制御基板２０を冷却（水冷）することができる。これにより、制御基板２０に対する冷却性を確保することができる。
【００８０】
しかも、この電動ポンプ１１０は、強磁性体により形成されたシールドカバー２２を有しており、制御基板２０は、このシールドカバー２２の包囲部７２によって包囲されると共に、このシールドカバー２２の被覆部７４によって底壁部３１と反対側から覆われている。従って、この強磁性体により形成されたシールドカバー２２により制御基板２０が遮蔽されるので、制御基板２０に対する電磁シールド性も確保することができる。
【００８１】
また、ベース部材１４は、ロータ収容室２８の底壁部３１に加えて、ステータ１８を保持する保持部１７６を有している（ロータ収容室２８の底壁部３１を形成する部材とステータ１８を保持する部材を兼用している）。従って、部材点数の増加を抑制することができるので、コストを低減することができる。
【００８２】
また、シールドカバー２２は、電動ポンプ１１０の外形部を形成している。従って、シールドカバー２２が外気に晒されて冷却されることにより、このシールドカバー２２に覆われた制御基板２０を冷却（空冷）することができる。
【００８３】
しかも、シールドカバー２２とベース部材１４とは、互いに接続されている。従って、シールドカバー２２が外気に晒されて冷却されることにより、シールドカバー２２との接続部を介してベース部材１４を冷却することができる。これにより、このベース部材１４に形成された底壁部３１と重ね合わされた制御基板２０を冷却（空冷）することができるので、制御基板２０に対する冷却性を向上させることができる。
【００８４】
特に、シールドカバー２２とベース部材１４との接続部は、シールドカバー２２の周縁部に形成された第一フランジ８０と、ベース部材１４の周縁部に形成され第一フランジ８０と結合された第二フランジ１８２とされている。従って、フランジを用いた接続部とすることにより、シールドカバー２２とベース部材１４との接続面積を確保することができるので、シールドカバー２２とベース部材１４との間の熱伝達性を高めることができる。これにより、ベース部材１４に形成された底壁部３１をより冷却することができるので、この底壁部３１と重ね合わされた制御基板２０に対する冷却性をより向上させることができる。
【００８５】
また、保持部１７６の側方で延長フランジ１７８と延長部８６との間には、空間部１８８が形成されており、この空間部１８８には、大型の電気部品９０が配置されている。従って、この空間部１８８が電気部品９０の配置のために利用されているので、電動ポンプ１１０を小型化することができる。
【００８６】
また、底壁部３１には、ロータ収容室２８側に突出して周壁部３０と接続された接合部３８と、ロータ収容室２８の内部に突出するシャフト支持部４０が形成されている。従って、この接合部３８及びシャフト支持部４０によりロータ収容室２８内の液体と底壁部３１との接触面積を拡大することができるので、底壁部３１をより冷却することができる。
【００８７】
しかも、制御基板２０の発熱部品６８，７０は、この制御基板２０における接合部３８及びシャフト支持部４０とそれぞれ対応する位置に設けられている。従って、接合部３８及びシャフト支持部４０を通じて発熱部品６８，７０の熱を効率良く吸収することができる。これにより、発熱部品６８，７０に対する冷却性を向上させることができる。
【００８８】
なお、本発明の第二実施形態においても、上述の本発明の第一実施形態と同様の変形例を採用することが可能である。
【００８９】
以上、本発明の一態様について説明したが、本発明は、上記に限定されるものでなく、上記以外にも、その主旨を逸脱しない範囲内において種々変形して実施可能であることは勿論である。
【符号の説明】
【００９０】
１０，１１０…電動ポンプ、１２…ハウジング、１４…ベース部材、１６…ロータ、１８…ステータ、２０…制御基板、２２…シールドカバー、２４…ステータホルダ、２６…ハウジング本体、２８…ロータ収容室、２８Ａ…開口、３０…周壁部、３０Ａ…先端部、３１…底壁部、３２…コネクタ、３４…取付対象物、３６…ポンプ室、３８…接合部、４０…シャフト支持部、４２…シール材、４４…シャフト、４６…軸受、４８…インペラ部材、５０…ヨーク、５２…マグネット、５４…軸部、５６…インペラ、５８…ステータコア、６０…インシュレータ、６２…巻線、６４…基板本体、６６…実装部品、６８，７０…発熱部品、７２…包囲部、７４…被覆部、７６，１７６…保持部、７８，１７８…延長フランジ、８０…第一フランジ、８２，１８２…第二フランジ、８４，１８４…基板収容室、８６…延長部、８８，１８８…空間部、９０…電気部品、９２…支持部、９４…開口部、９４Ａ…周縁部、９６…突起部
【図１】
2014092084.tif 000003
【図２】
2014092084.tif 000004
【図３】
2014092084.tif 000005
【図４】
2014092084.tif 000006
【図５】
2014092084.tif 000007